(57)【要約】【課題】メニューアイコンを見やすく表示できる技術を提供する。【解決手段】画像表示装置１０において、表示部１８は、画像を表示する。処理部３２は、表示部１８に表示させる画像を生成する。地図提供部２４は、地図画像を処理部３２に提供する。項目提供部２８は、メニューアイコンを処理部３２に提供する。受付部２２は、ユーザの入力を受け付ける。処理部３２は、地図提供部２４から受け取った地図画像を表示部１８に表示させ、受付部２２がメニューアイコンを表示させる入力を受け付けた場合に、地図画像をぼかしつつ項目提供部２８から受け取ったメニューアイコンを地図画像に重ねて表示させる。【選択図】図１
2017173990.tif 000002
【特許請求の範囲】
【請求項１】
画像を表示する表示部と、
前記表示部に表示させる画像を生成する処理部と、
地図画像を前記処理部に提供する地図提供部と、
メニューアイコンを前記処理部に提供する項目提供部と、
ユーザの入力を受け付ける受付部と、を備え、
前記処理部は、前記地図提供部から受け取った前記地図画像を前記表示部に表示させ、前記受付部が前記メニューアイコンを表示させる入力を受け付けた場合に、前記地図画像をぼかしつつ前記項目提供部から受け取った前記メニューアイコンを前記地図画像に重ねて表示させることを特徴とする画像表示装置。
【請求項２】
前記地図提供部は、自車両の位置を示す前記地図画像を前記処理部に提供し、
前記処理部は、前記受付部が前記メニューアイコンを表示させる入力を受け付けた場合に、自車両の位置に応じて更新される前記地図画像をぼかしつつ前記項目提供部から受け取った前記メニューアイコンを前記地図画像に重ねて表示させることを特徴とする請求項１に記載の画像表示装置。
【発明の詳細な説明】
【技術分野】
【０００１】
本発明は、車両に設けられ、地図画像を表示可能な画像表示装置に関する。
【背景技術】
【０００２】
自車両の位置を示す地図画像を表示可能な画像表示装置が車両に設けられる。特許文献１には、車載された表示部に表示する情報を生成する表示情報生成装置が開示される。この表示情報生成装置は、自車両の位置および道路を表示し、車速が高速になると、自車両が走行中の道路以外の周辺の道路をぼかして表示する情報を生成する。
【先行技術文献】
【特許文献】
【０００３】
【特許文献１】特開２０１４−２０３３１８号公報
【発明の概要】
【発明が解決しようとする課題】
【０００４】
ところで、画像表示装置が自車両の位置を示す地図画像を表示しているときに、ユーザが他の機能を利用しようとしてメニュー選択機能を実行した場合、画像表示装置が地図画像の表示を終了してメニュー選択画像を表示すると、ユーザに地図表示機能が終了したと認識させるおそれがある。
【０００５】
本発明はこうした状況に鑑みてなされたものであり、その目的は、地図画像を表示しているときに、メニュー選択機能を実行させた場合でも、地図表示機能が継続されていることをユーザに認識させるとともに、メニューアイコンを見やすく表示できる技術を提供することにある。
【課題を解決するための手段】
【０００６】
上記課題を解決するために、本発明のある態様の画像表示装置は、画像を表示する表示部と、表示部に表示させる画像を生成する処理部と、地図画像を処理部に提供する地図提供部と、メニューアイコンを処理部に提供する項目提供部と、ユーザの入力を受け付ける受付部と、を備える。処理部は、地図提供部から受け取った地図画像を表示部に表示させ、受付部がメニューアイコンを表示させる入力を受け付けた場合に、地図画像をぼかしつつ項目提供部から受け取ったメニューアイコンを地図画像に重ねて表示させる。
【０００７】
この態様によると、地図画像がメニューアイコンの背景に表示されることで、メニューアイコンのみ表示して地図画像を表示しない場合と比べて、地図表示や経路案内表示の機能が継続されていることをユーザに示唆することができる。また、地図画像をぼかして見にくくすることで、メニューアイコンを相対的に見やすくして、ユーザに操作しやすくできる。
【０００８】
地図提供部は、自車両の位置を示す地図画像を処理部に提供し、処理部は、受付部がメニューアイコンを表示させる入力を受け付けた場合に、自車両の位置に応じて更新される地図画像をぼかしつつ項目提供部から受け取ったメニューアイコンを地図画像に重ねて表示させてもよい。これにより、地図表示や経路案内表示の機能が継続されていることをユーザに示すことができる。
【発明の効果】
【０００９】
本発明によれば、メニューアイコンを地図画像とともに表示しつつ、メニューアイコンを見やすく表示できる。
【図面の簡単な説明】
【００１０】
【図１】画像表示装置の機能構成について説明するための図である。
【図２】表示部に表示される画像について説明するための図である。
【発明を実施するための形態】
【００１１】
図１は、画像表示装置１０の機能構成について説明するための図である。画像表示装置１０は車両に搭載され、表示部１８は例えば運転席と助手席の間に位置するダッシュボードに設けられる。画像表示装置１０は、ナビゲーション機能として自車両の位置を示す地図画像を表示し、またユーザの入力を受け付けて車載機能を操作可能にする。
【００１２】
画像表示装置１０は、制御部１２、入力部１４および表示部１８を備える。制御部１２は、ハードウェア的には、コンピュータのＣＰＵやメモリをはじめとする素子や機械装置で実現でき、ソフトウェア的にはコンピュータプログラム等によって実現される。
【００１３】
表示部１８は、制御部１２から送出された画像を表示する。表示部１８は、ユーザの手指の接触を検知するタッチパネルディスプレイである。入力部１４は、ユーザ操作を入力する手段であって、表示部１８に表示されるアイコン、または機械的な操作スイッチである。
【００１４】
制御部１２は、位置取得部２０、受付部２２、地図提供部２４、目的地設定部２６、項目提供部２８、車両状態提供部３０および処理部３２を備える。
【００１５】
位置取得部２０は、ＧＰＳ（Global Positioning System）を用いて自車両の位置を取得する。位置取得部２０は、複数の人工衛星からの時刻情報にもとづいて自車両の位置を算出してよい。受付部２２は、入力部１４からユーザの入力を受け付ける。
【００１６】
地図提供部２４は、表示部１８に表示する地図画像を処理部３２に提供する。地図提供部２４は、位置取得部２０から自車両の位置情報を受け取って、地図画像に自車両の位置を示す記号を加え、自車両の位置を示す地図画像を処理部３２に提供する。
【００１７】
目的地設定部２６は、ユーザの入力にもとづいて目的地を設定し、設定した目的地を地図提供部２４に送出する。地図提供部２４は、目的地設定部２６から設定された目的地を受け取ると、目的地までの経路を案内する情報を地図画像に加える。例えば、地図提供部２４は、地図画像において、目的地までの経路を他の道路より大きくして色を異ならせて、目的地までの経路と他の道路とを区別する処理を施す。
【００１８】
項目提供部２８は、受付部２２がメニューアイコンを表示させる入力を受け付けた場合に、メニューアイコンを処理部３２に提供する。メニューアイコンは、ユーザが機能選択をするために操作可能なオブジェクトであり、表示部１８の所定の領域に部分的に表示される。メニューアイコンは、機能種別に応じた複数のアイコンを表示し、例えば目的地を設定する画面に移行するアイコン、車両状態情報を表示するアイコン、電話機能を利用するためのアイコン、他のアプリケーションを実行するアイコンなどを表示する。ユーザがいずれかのメニューアイコンを手指で接触すると、ユーザの入力に応じた項目の機能が実行される。このように、ユーザは、メニューアイコンから所望の機能を選択して利用できる。
【００１９】
車両状態提供部３０は、車両状態検知センサ１６から受け取った車両状態情報を処理部３２に提供する。また、車両状態提供部３０は、車載ＥＣＵから車両状態情報を受け取ってよい。車両状態情報は、車速、走行距離、車載電池の充電量、車両周辺の撮像画像および車室内温度などを含む。
【００２０】
処理部３２は、表示部１８に表示させる画像を生成する処理を行い、生成した画像を表示部１８に送出する。処理部３２は、地図提供部２４から受け取った自車両の位置を示す地図画像を表示し、自車両の周辺の地図を表示する。
【００２１】
処理部３２は、受付部２２がメニューアイコンを表示させる入力を受け付けた場合に、地図画像をぼかしつつメニューアイコンを地図画像に重ねて表示させる。地図画像はぼかし処理を施されることで視認性を低下される。処理部３２がぼかした地図画像に鮮明なメニューアイコンを重畳して表示することで、ユーザがメニューアイコンを認識しやすくできる。また、地図画像がメニューアイコンの背景に表示されることで、メニューアイコンのみ表示して地図画像を表示しない場合と比べて、地図表示機能や経路案内機能が継続されていることをユーザに示唆することができる。
【００２２】
また、受付部２２がメニューアイコンを表示させる入力を受け付けた場合に、処理部３２は、車両走行中では、ぼかして表示する地図画像を自車両の位置に応じて更新し、表示部１８に表示する地図画像をスクロールさせる。これにより、メニューアイコンを表示しても、地図表示や経路案内表示の機能が継続されていることをユーザに示唆することができる。
【００２３】
地図画像のぼかし処理について説明する。処理部３２は、地図画像における隣合う画素の画素値を平均化することでぼかし処理を行う。また、変形例のぼかし処理では、処理部３２は、５×５の画素値、つまり縦横で５個の範囲にある画素の集合をそれぞれ平均化してよく、縦横で１０×１０の画素の集合をそれぞれ平均化してよい。また、変形例のぼかし処理では、処理部３２は、隣合う画素の画素値を合算して所定の割合で配分してよい。また、変形例のぼかし処理では、処理部３２は、隣合う画素の画素値の差が所定の閾値以上である場合、例えばＲＧＢ値のいずれかの差が所定の閾値以上である場合に、その隣合う画素値を平均化してもよい。
【００２４】
図２は、表示部１８に表示される画像について説明するための図である。図２（ａ）は、地図画像４２および自車両の位置を表示する表示部１８を示す。地図画像４２は、自車両の周辺の地図である。自車両記号４４は、表示部１８の中央付近に示され、自車両の位置を示す。地図操作アイコン４６は、地図画像４２の左上に示され、地図画像４２の設定を操作可能なオブジェクトである。ユーザは地図操作アイコン４６を手指で接触する操作を実行して、地図画像４２の縮尺や方向を変更できる。
【００２５】
メニュー表示アイコン４０は、表示部１８の左下に位置する。ユーザがメニュー表示アイコン４０を手指で接触する操作を実行すると、受付部２２がメニューアイコンを表示させる入力を受け付けて、メニューアイコンが表示される。なお、画像表示装置１０には、機械的なメニュー表示スイッチが設けられてよい。
【００２６】
図２（ｂ）は、メニューアイコンを表示した表示部１８を示す。メニュー表示アイコン４０の操作により受付部２２がメニューアイコンを表示させる入力を受け付けると、項目提供部２８は、メニューアイコンを処理部３２に提供する。処理部３２は、地図画像４２をぼかしつつメニューアイコンを地図画像４２に重ねた画像を生成し、表示部１８に送出し、表示部１８が処理部３２から受け取った画像を表示する。
【００２７】
表示部１８は、メニューアイコン４８ａ、４８ｂ、４８ｃ、４８ｄ、４８ｅ、４８ｆ、４８ｇ（これらを区別しない場合「メニューアイコン４８」という）を、地図画像４２に重ねて表示している。地図画像４２がぼかされているため、ユーザは相対的に鮮明なメニューアイコン４８を認識しやすく、メニューアイコン４８を操作しやすくなる。
【００２８】
メニューアイコン４８ａは、車両状態情報を表示するためのアイコンである。メニューアイコン４８ｂは、目的地を設定する画面を表示するためのアイコンである。メニューアイコン４８ｃは、電話をする画面を表示するためのアイコンである。メニューアイコン４８ｄは、他のアプリケーションを実行させるためのアイコンである。メニューアイコン４８ｅは、ネットワークに接続して最新の道路情報を取得するためのアイコンである。メニューアイコン４８ｆは、画像表示装置１０の機能設定をするためのアイコンである。メニューアイコン４８ｇは、元の地図画像４２の表示に戻るためのアイコンである。ユーザがいずれかのメニューアイコン４８を接触する操作をすると、メニューアイコン４８の種類に応じた機能が実行される。
【００２９】
メニューアイコン４８の背景には、地図画像４２がぼかして表示されるため、地図画像４２の表示が終了したとユーザに誤認識させることを低減できる。これにより、画像表示装置１０は、背景に地図画像４２を表示しない場合と比べて、自車両の位置の地図表示や経路案内表示の機能が継続されていることをユーザに示唆することができる。
【００３０】
地図画像４２は、メニューアイコン４８の背景として表示されている場合でも、車両が走行中で自車両の位置が移動した場合には、自車両の位置に応じて更新され、スクロールされる。自車両の位置が移動した場合、自車両記号４４は表示部１８の中央付近に表示されたままで、表示部１８での地図画像４２がスクロールされる。これにより、画像表示装置１０は、メニューアイコン４８を表示しつつも、地図表示機能や経路案内機能が継続されていることをユーザに示唆することができる。
【００３１】
ユーザがメニューアイコン４８ｇを接触する操作をした場合、すなわち、受付部２２がメニューアイコン４８の表示を終了する入力を受け付けた場合、メニューアイコン４８の表示が終了して、図２（ａ）に示すように、ぼかし処理のない地図画像４２が再び表示される。このとき地図画像４２は、メニューアイコン４８の背景として表示されていたときに自車両の位置に応じて更新されていたため、ぼかし処理が終了するだけで、切り替え時に地図画像４２が大きくスクロールされることなく、ユーザの違和感を抑えることができる。
【００３２】
以上、実施例をもとに本発明を説明した。実施例はあくまでも例示であり、各構成要素や各処理プロセスの組合せにいろいろな変形例が可能なこと、またそうした変形例も本発明の範囲にあることは当業者に理解されるところである。
【符号の説明】
【００３３】
１０  画像表示装置、  １２  制御部、  １４  入力部、  １６  車両状態検知センサ、  １８  表示部、  ２０  位置取得部、  ２２  受付部、  ２４  地図提供部、  ２６  目的地設定部、  ２８  項目提供部、  ３０  車両状態提供部、  ３２  処理部、  ４０  メニュー表示アイコン、  ４２  地図画像、  ４４  自車両記号、  ４６  地図操作アイコン、  ４８  メニューアイコン。
【図１】
2017173990.tif 000003
【図２】
2017173990.tif 000004